(57)【要約】本発明は、ユーザーの爪先を載置することができ、その高さが残りの部分よりも高くなっている爪先受け部分を有する中底（インソール）を具備する機能性履物に関するものである。前記機能性履物の中底（インソール）の爪先受け部分が、前記爪先受け部分以外の中底（インソール）の残りの部分よりも高く形成されるので、歩行者の爪先は歩行者の足底の他部分よりも高く配置されるようになり、それによって、歩行者が前方向に歩行するときでさえも、後方歩行の運動効果が得られる。【選択図】図２
2009529366.tif 000002
【特許請求の範囲】
【請求項１】
甲（アッパー）、本底（アウトソール）、及び必要に応じて着脱自在に使用されるように構成されている中底（インソール）からなる機能性履物において、前記中底（インソール）が、ユーザーの爪先をその上に受けることができるようにその前部分に形成された爪先受け部分を具備し、前記爪先受け部分の高さが前記爪先受け部分以外の残りの部分の高さよりも高くなっており、その上にユーザーの爪先が快適に載置することができるように前記爪先受け部分の内端部が凹状の曲面に形成されていることを特徴とする機能性履物。
【請求項２】
前記爪先受け部分の高さが０.５〜１ｃｍであることを特徴とする請求項１に係る機能性履物。
【請求項３】
前記甲（アッパー）の前部分の高さが前記爪先受け部分の高さに比例して設定されることを特徴とする請求項１または２に係る機能性履物。
【発明の詳細な説明】
【技術分野】
【０００１】
本発明は、機能性履物（フットウェア）に関するものであり、特に、ユーザーの爪先を載置することができ、その高さが残りの部分よりも高くなっている爪先受け部分を有する中底（インソール）を具備する機能性履物に関するものである。
【背景技術】
【０００２】
社会生活と経済の緩やかな発展とともに健康に対する関心が高まっており、日常生活で容易に行える簡単な運動が定着している。特に、年齢や性別に関係なく誰もが親しめ、特別な機器・設備や費用なしに楽しめる安全な歩行運動は一般的になっている。
【０００３】
かかる歩行運動では、前方歩行だけではなく後方歩行も一般に行われている。後方歩行には、前方歩行では通常使用されない筋肉が刺激され、さらに、ユーザーの足が地面と接触する際に前方歩行よりも衝撃が少ないなどの点で利点がある。さらに、ユーザーが前方歩行の場合と同じ速度で後方向に歩行する際、後方歩行では前方歩行の場合と比べてより大量のカロリーが消費される。
【０００４】
このような次第ではあるが、後方向に歩行する者には、他の歩行運動者などとの衝突やつまずきの危険があるので、後方歩行は前方歩行に比べて広く行われていない。
【０００５】
履物はかかる歩行運動には不可欠であり、運動効果に絶対的な影響を及ぼすので、歩行運動時における運動効果をさらに高めるため、さまざまな種類の履物が現在推奨されている。
【０００６】
図１は従来の機能性履物の使用状態を示す断面図である。図１の機能性履物１００は特許文献１で開示されている機能性中底（インソール）と同一の中底（インソール）１１０を有する。前記中底（インソール）１１０は、全体として流線形に形成され、ユーザーの爪先を載置するための前部分１１２と、ユーザーの踵を載置するための後部分１１４と、前記前後部分を互いに接続するための湾曲部分と、を含み、足裏のアーチ部分に接するようなっている。前記中底（インソール）１１０では、前記前後部分１１２及び１１４は所定の厚さ（ｔ１、ｔ２）をそれぞれ有する。この時点では、前記前部分１１２の厚さｔ１は前記後部分１１４の厚さｔ２よりも厚く形成される。前記中底（インソール）１１０により、ユーザーは、履物１００に挿入された前記中底（インソール）１１０の使用時に、日常生活における通常の歩行運動量のみによって、坂を上るときに必要とされるエネルギーと同じ量のエネルギーを効果的に消費することができる。しかしながら、前記中底（インソール）１１０の厚さが前記前部分１１２から前記後部分１１４にかけて薄くなっているので、長時間歩行時にユーザーの腓腹の足首１２０及び前部分１３０の筋肉は容易に疲労するとともに、ユーザーの膝関節は過剰緊張してしまい、それによっては歩行に逆効果を及ぼす。
【特許文献１】韓国実用新案登録第３４１３９９号
【発明の開示】
【発明が解決しようとする課題】
【０００７】
よって、本発明は従来技術で発生する前述の問題点を解決するためになされたものであり、特別の底（ソール）、すなわち、後方歩行時に発生する危険を取り除き、前方歩行中に後方歩行の運動効果を得ることができるように、その前部分に爪先受け部分が形成され、ユーザーの爪先を載置することができるようになっている中底（インソール）を具備する機能性履物を提供することが本発明の目的である。
【課題を解決するための手段】
【０００８】
上記目的を達成するために、本発明によれば、甲（アッパー）、本底（アウトソール）、及び必要に応じて着脱自在に使用されるように構成されている中底（インソール）からなる機能性履物において、前記中底（インソール）が、ユーザーの爪先を載置するためにその前部分に形成された爪先受け部分を具備し、前記爪先受け部分の高さが前記爪先受け部分以外の残りの部分の高さよりも高くなっており、その上にユーザーの爪先が快適に載置することができるように前記爪先受け部分の内端部が凹状の曲面に形成されていることを特徴とする機能性履物が提供される。
【０００９】
好ましくは、中底（インソール）の爪先受け部分は０.５〜１ｃｍの高さを持つ。
【００１０】
好ましくは、前記甲（アッパー）の前部分の高さは、前記爪先受け部分の高さに比例して設定する。
【発明を実施するための最良の形態】
【００１１】
以下、本発明の好適な実施形態を添付図面を参照して詳細に説明する。図１は従来の機能性履物の使用状態を示す断面図であり、図２は本発明の好適な実施形態に係る機能性履物の分解斜視図であり、第３図は、第２図のＡ−Ａ線に沿った断面図であり、図４は本発明の好適な実施形態に係る機能性履物の使用状態を示す断面図である。
【００１２】
図２に示すように、本発明の機能性履物１０は主に、ユーザーの足底を支持するための本底（アウトソール）１４と、ユーザーの足を被装するための甲（アッパー）１２と、前記履物１０内に挿入される中底（インソール）２０と、からなる。好ましくは、前記中底（インソール）２０は、汚れたら取り出されて洗浄され、必要に応じて交換可能に使用されるように、履物と独立して装着される。
【００１３】
本発明に係る中底（インソール）２０は、その上にユーザーの爪先を載置することができ、その高さ（ｈ）がその爪先受け部分２２以外の残りの部分よりも高くなっている、その前部分に形成された爪先受け部分を有する。ここでは、前記中底（インソール）の残りの部分の構成は、一般的な中底（インソール）２０の構成と同一とする。
【００１４】
一般的に、靴を履いた後方歩行時には、歩行運動者の爪先が上昇され、筋肉の動作は前方歩行時の筋肉動作とは異なる。
【００１５】
本発明の機能性履物１０を履いた後方歩行時には、歩行運動者の爪先は上昇された状態に保たれるが、この状態は前方歩行時でさえも保たれる。よって、前方歩行時でさえも、後方歩行の運動効果を得ることができる。
【００１６】
本発明の機能性履物１０を履いた後方歩行時には、歩行運動者の爪先は上昇された状態に保たれるが、この状態は前方歩行時でさえも保たれる。よって、前方歩行時でさえも、後方歩行の運動効果を得ることができる。
【００１７】
前記爪先受け部分２２の高さ（ｈ）は、好ましくは０.５〜１.０ｃｍの高さを持つように形成される。高さが０.５ｃｍ未満の爪先受け部分２２を有する機能性履物１０を履いた歩行時には、歩行運動者の爪先が十分に高くないために、歩行運動者は十分な運動効果を得ることができない。さらに、高さが１ｃｍ以上の爪先受け部分を有する機能性履物１０を履いた歩行時には、歩行運動者の爪先２２は過緊張状態になる。従って、０.５〜１ｃｍの高さが前記爪先受け部分２２に最も好適である。
【００１８】
そのうえ、人体の爪先は凹状の曲面形状になっているため、前記爪先受け部分２２の内端部は、その上に歩行運動者の爪先が快適に載置されるように凹状の曲面に形成されている。
【００１９】
さらに、図４に示すように、前記爪先受け部分２２は、前記爪先受け部分２２の高さ（ｈ）が前記爪先受け部分２２以外の前記中底（インソール）２０の残りの部分よりも高くなるように前記中底（インソール）２０の前部分に形成されているので、前記甲（アッパー）１２の前部分の高さ（ｈ）は、好ましくは前記爪先受け部分２２の高さに比例して設定される。
【００２０】
さらに、図２〜図４に示すように、本発明の好適な実施形態によれば、前記爪先受け部分２２は前記中底（インソール）２０の前部分の上面から上向きに垂直方向に延長されるが、前記中底（インソール）２０の前部分の裏面から下向きに垂直方向に延長され得る。
【００２１】
上記のように構設された機能性履物に基づくと、他の一般的な履物とは異なり、歩行運動者の爪先的に高く配置されるので、日常生活では通常使われない筋肉が使われて人体筋肉の均一な発達が促進され、それによって人体の大腿部と腰部の筋肉が強化される。
【００２２】
歩行運動者が本発明の中底（インソール）２０着用時に前方向歩行効果を望む場合には、歩行運動者は本発明の中底（インソール）２０を従来発明の一般的な中底（インソール）と交換することができる。つまり、これらの多種多様な効果は本発明の機能性履物１つによって達成することが可能である。
【産業上の利用可能性】
【００２３】
上記のように、本発明によれば、前記機能性履物の中底（インソール）の爪先受け部分が、前記爪先受け部分以外の中底（インソール）の残りの部分よりも高く形成されるので、歩行運動者の爪先は歩行運動者の足底の他部分よりも高く配置されるようになり、それによって、歩行運動者が前方向に歩行するときでさえも、後方歩行の運動効果が得られる。
【００２４】
本発明を特定の例示的な実施形態を参照して説明したが、本発明は実施形態によって限定されるものではなく、添付請求項のみによって制限されるものとする。当業者であれば本発明の範囲及び趣旨から逸脱することなく実施形態の変更または修正を行えることは当然のことであろう。
【図面の簡単な説明】
【００２５】
本発明のさらなる目的及び利点は、添付図面と併せて以下に記載した詳細な説明によってさらに完全に理解されるであろう。なお、各添付図面の説明は下記の通りである。
【図１】図１は従来の機能性履物の使用状態を示す断面図である。
【図２】図２は本発明の好適な実施形態に係る機能性履物の分解斜視図である。
【図３】図３は、図２のＡ−Ａ線に沿った断面図である。
【図４】図４は本発明のオイル調節部の作動例示断面図である。
【図５】図５は本発明のオイル調節部に構成されている圧縮スプリングの弾性力を調節することを示した例示断面図である。
【図６】図６は本発明のメインシリンダとサブシリンダの結合関係を示した斜視図である。
【図７】図７は本発明のベルト駆動による作動を示した例示図である。
【図１】
2009529366.tif 000003
【図２】
2009529366.tif 000004
【図３】
2009529366.tif 000005
【図４】
2009529366.tif 000006
【国際調査報告】
2009529366.tif 000007
2009529366.tif 000008